(57)【要約】【課題】コンセントハウジングが大角形連用配線器具の寸法であっても違和感を生じることなく形成することができるようにしたコンセントを提供する。【解決手段】コンセントハウジング１０は、接地極を含む３極の栓刃が差し込まれる３個の差込口１５ａ〜１５ｃが開口する。電圧極である差込口１５ａ，１５ｂは、それぞれ矩形状に開口しかつ長手方向が互いに直交するとともに差込口１５ａの幅方向において差込口１５ａから差込口１５ｂが離間する。また、接地極である差込口１５ｃは、差込口１５ｂの幅方向において差込口１５ｂから離間し、差込口１５ｂの長手方向において差込口１５ｂの両端のうちの差込口１５ａから離れた一端と差込口１５ａとの間に対応する部位に位置する。【選択図】        図１
2005100908.tif 000002
【特許請求の範囲】
【請求項１】
接地極を含む３極の栓刃が差し込まれる３個の差込口がコンセントハウジングに開口するコンセントであって、電圧極である第１および第２の差込口は、それぞれ矩形状に開口しかつ長手方向が互いに直交するとともに第１の差込口の幅方向において第１の差込口から第２の差込口が離間し、接地極である差込口は、第２の差込口の幅方向において第２の差込口から離間し、第２の差込口の長手方向において第２の差込口の両端のうちの第１の差込口から離れた一端と第１の差込口との間に対応する部位に位置することを特徴とするコンセント。
【請求項２】
前記栓刃を備えるプラグハウジングにおいて栓刃が突出する一面のうちすべての栓刃を含む部位に互いに嵌合可能な差込突台と差込凹所との一方が形成され、前記コンセントハウジングにおいて差込口が開口する一面のうちすべての差込口を含む部位には差込突台と差込凹所との他方が形成されていることを特徴とする請求項１記載のコンセント。
【請求項３】
前記差込凹所の開口面は、前記第１の差込口の長手方向の寸法が第１の差込口の幅方向の寸法よりも大きくなる形状に形成されていることを特徴とする請求項２記載のコンセント。
【請求項４】
前記差込凹所は前記コンセントハウジングに設けられ、差込凹所の内周面の一部は前記第１の差込口の長手方向と平行であることを特徴とする請求項３記載のコンセント。
【請求項５】
前記差込凹所は前記コンセントハウジングに設けられ、差込凹所の内周面のうち施工時において下端部となる部位に差込凹所の開口面まで延長された排水溝が形成されていることを特徴とする請求項２または請求項３記載のコンセント。
【請求項６】
前記差込凹所は前記コンセントハウジングに設けられ、コンセントハウジングの前記一面の中心と差込凹所の中心とが一致することを特徴とする請求項２または請求項３記載のコンセント。
【請求項７】
前記コンセントハウジングの内部において前記各差込口に対応する部位にそれぞれ配置されるとともに前記栓刃を受ける刃受ばねのうち接地極である刃受ばねは、差込口の開口面に直交する方向の両端部が開放されていることを特徴とする請求項１記載のコンセント。
【請求項８】
前記コンセントハウジングの内部において前記各差込口に対応する部位にそれぞれ配置されるとともに前記栓刃を受ける刃受ばねのうち電圧極である刃受ばねに電線を接続する端子は、コンセントハウジングに開口する電線挿入口を通してコンセントハウジングに導入された電線を錠ばねのばね力により接続する速結端子であって、コンセントハウジングの外側面のうち電圧極に対応する２個の電線挿入口の間の部位には、電線挿入口間の沿面距離を大きくする分離溝が形成されていることを特徴とする請求項１記載のコンセント。
【発明の詳細な説明】
【技術分野】
【０００１】
本発明は、２５０Ｖ３０Ａ用のような高電圧高容量のコンセントに関するものである。
【背景技術】
【０００２】
近年、一般家庭において電源電圧が２００Ｖである電気機器が普及してきている。とくに、ＩＨクッキングヒータの普及率の上昇は著しく、この種の電気機器では定格が２５０Ｖ３０Ａであるコンセントおよびプラグが必要になる。
【０００３】
高電圧高容量のコンセントとしては、図２２に示すように、接地極を含む３極の構成であって、電圧極である２極に対応するプラグの栓刃は平形栓刃であり、コンセントにおいて栓刃が差し込まれる差込口２ａ，２ｂはコンセントハウジング１の一面に矩形状に開口するものが提供されている。電圧極である２個の差込口２ａ，２ｂは長手方向の中心線を一致させる形で並設され、接地極である差込口２ｃは、電圧極である差込口２ａ，２ｂの幅方向に離間しかつ電圧極である両差込口２ａ，２ｂの長手方向において互いに離れた端部間の中央位置に対応するように配置されている（たとえば、特許文献１参照）。
【特許文献１】特開２００２−３５２８９５号公報
【発明の開示】
【発明が解決しようとする課題】
【０００４】
ところで、上述したコンセントは、電圧極である矩形状の差込口２ａ，２ｂが長手方向の中心線を一致させる形で並設されているものであるから、差込口２ａ，２ｂの長手方向においてコンセントハウジング１が差込口２ａ，２ｂの長手方向の２倍以上の寸法になる。つまり、高電圧高容量のコンセントとプラグとは比較的大型になるという問題がある。
【０００５】
一方、一般に普及しているコンセントとして施工面に一部を埋め込んた形で施工される埋込型の配線器具が知られており、この種の配線器具はＪＩＳ規格において大角形連用配線器具として規格化されている。
【０００６】
この種の配線器具において差込口を設けることができる面の幅寸法は３６ｍｍ程度であって、差込口に挿入される栓刃の幅寸法は一般に９ｍｍ程度であるから、電圧極の間の距離を確保し、差込口の周辺におけるコンセントハウジングの強度を確保するには、コンセントハウジングの寸法に余裕がなく、差込口の配列が上述の形である２００Ｖに対応するコンセントを、大角形連用配線器具として構成することは困難である。また、大角形連用配線器具となるコンセントハウジングであっても３個モジュール寸法であって長手方向に差込口の長手方向を一致させれば、電圧極の差込口をコンセントハウジングの寸法内に配列することが可能であるが、２００Ｖのコンセントには接地極が必要であって、電圧極と接地極との差込口がコンセントハウジングの幅方向に離間して配置されるから、結局はコンセントハウジングの寸法に余裕がなくなる。しかも、施工状態において接地極が電圧極の側方に位置するから、使用者は不安定な印象を受け違和感を持つことになる。
【０００７】
本発明は上記事由に鑑みて為されたものであり、その目的は、コンセントハウジングを従来構成よりも小型化することができコンセントハウジングが大角形連用配線器具の寸法であっても違和感を生じることなく形成することができるようにしたコンセントを提供することにある。
【課題を解決するための手段】
【０００８】
請求項１の発明は、コンセントであって、接地極を含む３極の栓刃が差し込まれる３個の差込口がコンセントハウジングに開口するコンセントであって、電圧極である第１および第２の差込口は、それぞれ矩形状に開口しかつ長手方向が互いに直交するとともに第１の差込口の幅方向において第１の差込口から第２の差込口が離間し、接地極である差込口は、第２の差込口の幅方向において第２の差込口から離間し、第２の差込口の長手方向において第２の差込口の両端のうちの第１の差込口から離れた一端と第１の差込口との間に対応する部位に位置することを特徴とする。
【０００９】
この構成によれば、電圧極である第１の差込口と第２の差込口とを長手方向の一直線上に並設する従来構成に比較すると、第２の差込口の長手方向において第１および第２の差込口が占有する寸法を小さくすることができ、従来構成よりも幅寸法の小さいコンセントハウジングを用いることが可能になる。その結果、定格が２５０Ｖ３０Ａのコンセントハウジングを大角形連用配線器具の寸法とすることが可能になり、このような寸法のコンセントハウジングを用いれば、広く採用されている大角形連用配線器具と同様に施工することが可能になる。
【００１０】
請求項２の発明では、請求項１の発明において、前記栓刃を備えるプラグハウジングにおいて栓刃が突出する一面のうちすべての栓刃を含む部位に互いに嵌合可能な差込突台と差込凹所との一方が形成され、前記コンセントハウジングにおいて差込口が開口する一面のうちすべての差込口を含む部位には差込突台と差込凹所との他方が形成されていることを特徴とする。
【００１１】
この構成によれば、プラグをコンセントに差し込む際に差込突台と差込凹所とが嵌合するから、プラグにおいて栓刃が突出する面がコンセントの前面とは異なる面になり、ゴミや金属片や水滴のような異物が栓刃に触れにくくなり、安全性を向上させることができる。この構成は、ＩＨクッキングヒータのように比較的異物が付着しやすい場所で使用する場合にとくに有効である。
【００１２】
請求項３の発明では、請求項２の発明において、前記差込凹所の開口面は、前記第１の差込口の長手方向の寸法が第１の差込口の幅方向の寸法よりも大きくなる形状に形成されていることを特徴とする。
【００１３】
この構成によれば、第１の差込口の幅方向においてコンセントハウジングを連接する場合に、コンセントに接続されるプラグを互いに干渉させないようにしながらも、比較的狭い間隔でコンセント口を第１の差込口の幅方向において並設することが可能になる。
【００１４】
請求項４の発明では、請求項３の発明において、前記差込凹所は前記コンセントハウジングに設けられ、差込凹所の内周面の一部は前記第１の差込口の長手方向と平行であることを特徴とする。
【００１５】
この構成によれば、差込凹所の長手方向の内周面が第１の差込口に挿入される栓刃のガイドになり、プラグを挿入しやすくなる。
【００１６】
請求項５の発明では、請求項２または請求項３の発明において、前記差込凹所は前記コンセントハウジングに設けられ、差込凹所の内周面のうち施工時において下端部となる部位に差込凹所の開口面まで延長された排水溝が形成されていることを特徴とする。
【００１７】
この構成によれば、差込凹所の内部に水滴が入り込んだとしても排水溝から排出され、差込凹所の内部に水滴が溜まるのを防止することができる。
【００１８】
請求項６の発明では、請求項２または請求項３の発明において、前記差込凹所は前記コンセントハウジングに設けられ、コンセントハウジングの前記一面の中心と差込凹所の中心とが一致することを特徴とする。
【００１９】
この構成によれば、プラグを接続したときにプラグに対して偏った外力が作用しにくく、またプラグを接続した状態での見映えがよくなる。
【００２０】
請求項７の発明では、請求項１の発明において、前記コンセントハウジングの内部において前記各差込口に対応する部位にそれぞれ配置されるとともに前記栓刃を受ける刃受ばねのうち接地極である刃受ばねは、差込口の開口面に直交する方向の両端部が開放されていることを特徴とする。
【００２１】
この構成によれば、接地極の栓刃を電圧極の栓刃よりも長く形成している場合に、接地極の栓刃を刃受ばねを形成する材料の厚み寸法だけ深く挿入することができ、栓刃の挿入方向におけるコンセントハウジングの厚み寸法を低減することが可能になる。
【００２２】
請求項８の発明では、請求項１の発明において、前記コンセントハウジングの内部において前記各差込口に対応する部位にそれぞれ配置されるとともに前記栓刃を受ける刃受ばねのうち電圧極である刃受ばねに電線を接続する端子は、コンセントハウジングに開口する電線挿入口を通してコンセントハウジングに導入された電線を錠ばねのばね力により接続する速結端子であって、コンセントハウジングの外側面のうち電圧極に対応する２個の電線挿入口の間の部位には、電線挿入口間の沿面距離を大きくする分離溝が形成されていることを特徴とする。
【００２３】
この構成によれば、電線が挿入される電線挿入口間の沿面距離が分離溝によって大きくなるから、結露等による沿面放電が発生せず安全性が向上する。
【発明の効果】
【００２４】
本発明のコンセントの構成によれば、電圧極である第１の差込口と第２の差込口とを長手方向の一直線上に並設する従来構成に比較すると、第２の差込口の長手方向において第１および第２の差込口が占有する寸法を小さくすることができ、従来構成よりも幅寸法の小さいコンセントハウジングを用いることが可能になるという利点がある。
【発明を実施するための最良の形態】
【００２５】
（実施形態１）
図１ないし図５に示すコンセントは、ＪＩＳ規格において規格化された大角形連用配線器具として構成したものであって、コンセントハウジング１０は、前面（図１の上面）が開放されたボディ１１と、ボディ１１に前面に覆着されるカバー１２とを結合することにより全体として直方体状に形成される。ボディ１１およびカバー１２には、長手方向に沿った両側面に組立突起１１ａ，１２ａがそれぞれ突設され、後述する矩形枠状である金属製の取付枠２０に設けた枠状の組立脚片２１に、ボディ１１とカバー１２との組立突起１１ａ，１２ａを挿入し、組立脚片２１をかしめることにより、ボディ１１とカバー１２とが結合される。
【００２６】
ボディ１１の内部空間は仕切壁１３によって６区画に分割され、３区画にはそれぞれ刃受ばね３１〜３３が収納され、残りの３区画には各刃受ばねと一体に設けた端子板４１〜４３が収納される。刃受ばね３１〜３３および端子板４１〜４３については後述する（図７参照）。
【００２７】
カバー１２の前面中央部には差込凹所１４が凹設され、差込凹所１４の底面には３個の差込口１５ａ〜１５ｃが開口する。差込凹所１４の中心位置はコンセントハウジング１０の前面の中心位置に略一致させてある。差込口１５ａ〜１５ｃのうちの２個の差込口１５ａ，１５ｂはプラグにおける電圧極の栓刃が挿入され、残りの１個の差込口１５ｃは接地極の栓刃が挿入される。電圧極の栓刃は平板状である平形栓刃であり、差込口１５ａ，１５ｂは矩形状に開口する。また、接地極の栓刃は断面Ｕ字状であり、差込口１５ｃは半楕円状に開口する。
【００２８】
電圧極である差込口１５ａ，１５ｂは、長手方向が互いに直交し、差込口１５ａの幅方向において差込口１５ａから差込口１５ｂが離間するように配置される。また、差込口１５ｂの長手方向に沿った中心線は差込口１５ａの長手方向における中心に略一致する。差込口１５ａ，１５ｂをこのように配置していることによって、電圧極である差込口１５ａ，１５ｂの長手方向の中心線を一致させている従来構成に比較すると、第２の差込口１５ｂの長手方向において両差込口１５ａ，１５ｂが占める幅寸法を小さくすることができ、結果的にコンセントハウジング１０の前面の幅寸法を従来構成よりも小さくすることが可能になるのであって、本実施形態のような大角形連用配線器具の３個モジュール寸法に相当する寸法のコンセントハウジング１０を用いることが可能になる。接地極である差込口１５ｃは、差込口１５ｂの幅方向において差込口１５ｂから離間しており、差込口１５ｂの長手方向における差込口１５ｂの両端のうち差込口１５ａから離れた一端と差込口１５ｂとの間に対応する部位に位置する。差込口１５ａの長手方向に沿った差込口１５ｃの中心線は、差込口１５ａの長手方向に沿った差込凹所１４の中心線と一致し、この中心線を挟んで両差込口１５ａ，１５ｂは互いに反対側に配置される。ただし、上記中心線と差込口１５ｂとの距離は差込口１５ａとの距離よりも小さく設定される。
【００２９】
ところで、差込凹所１４の開口面は、差込口１５ａの長手方向における寸法が差込口１５ａの幅方向における寸法よりも大きくなる長円状に形成されている。すなわち、差込凹所１４の開口面は、差込口１５ａの長手方向における各端部がそれぞれ弧状であって、弧状部分を直線部分で連結した形状に形成されている。差込凹所１４の開口面における直線部分に対応する部位では、差込凹所１４の内周面は差込口１５ａの長手方向と平行に形成される。また、本実施形態では差込凹所１４の内周面は差込凹所１４の底面に対して直交する。
【００３０】
差込凹所１４は、コンセントに差し込まれるプラグにおいて栓刃が突設されているプラグハウジングの一部が嵌合するように形成されている。つまり、プラグハウジングのうち栓刃が突設される一面に栓刃を囲む形で差込突台が突設され、この差込突台が差込凹所１４に嵌合する。あるいはまた、プラグハウジングが差込突台の開口面に合致する断面形状に形成され、プラグハウジングの一部が差込凹所１４に嵌合する。この構成により、プラグにおいて栓刃が突出する面がコンセントハウジングの前面とは異なる面になるから、ゴミや金属片や水滴のような異物が栓刃に触れにくくなり、とくに、ＩＨクッキングヒータのように比較的異物が付着しやすい場所で使用する場合の安全性を高めることができる。また、差込凹所１４の開口面が長円状であるから、差込口１５ａの幅方向においてコンセントハウジング１０を連接したり、差込口１５ａの幅方向においてコンセント口（つまり、差込口１５ａ〜１５ｃの組）を並設したりする場合に、各コンセント口に接続されるプラグの干渉を避けながらも、コンセント口を差込口１５ａの幅方向において比較的狭い間隔で並設することが可能になる。しかも、差込凹所１４の内周面の一部は差込口１５ａの長手方向と平行であるから、差込凹所１４の長手方向の内周面が差込口１５ａに挿入される栓刃のガイドになり、プラグを挿入しやすくなる。
【００３１】
ボディ１１に収納される刃受ばね３１〜３３のうち差込口１５ａに対応する部位の区画に収納される刃受ばね３１、つまり一方の電圧極である刃受ばね３１は、一対の刃受片３１ａの後端（図１の下端）間を連続一体に連結する連結片３１ｂを備え、連結片３１ｂの一側縁から前方に立ち上がる接続片３１ｃを備える。接続片３１ｃの前端部はＬ字状に折曲されており、ボディ１１の内部の仕切壁１３を乗り越え、隣りの区画内の端子板４１に接続される。端子板４１は、接続片３１ｃが接続される基片４１ａの両側縁からそれぞれ延設され互いに対向する背当片４１ｂおよび保持片４１ｃを備える。背当片４１ｂは仕切壁１３に突設した位置決めリブ１３ａと仕切壁１３との間で位置保持される。刃受ばね３１と端子板４１とは接続片３１ｃを介して連続一体に形成される。
【００３２】
背当片４１ｂと保持片４１ｃとの間には板ばねを曲成した錠ばね４４が配置される。錠ばね４４は、板ばねの一端部をＪ字状に曲成して鎖錠片４４ａを形成し、他端部をＳ字状に曲成して接続片４４ｂを形成したものであって、鎖錠片４４ａおよび接続片４４ｂを保持片４１ｃに対向させるように配置される。ボディ１１の底壁には、鎖錠片４４ａおよび接続片４４ｂと保持片４１ｃとの間に対応する部位において電線挿入口１６ａが開口し（図５参照）、電線挿入口１６ａから挿入された電線の芯線は、錠ばね４４のばね力によって、鎖錠片４４ａおよび接続片４４ｂと保持片４１ｃとの間に挟持される。鎖錠片４４ａは電線挿入口１６ａから電線の芯線を挿入する向きにおいて芯線に近付くように傾斜しており、芯線が挿入されると鎖錠片４４ａの先端縁が芯線に食い込むことによって、電線を引き抜く向きの力に抗するようになっている。
【００３３】
鎖錠片４４ａと保持片４１ｃとの間に対応する部位には合成樹脂製の解除釦４５が配置される。解除釦４５の一部はボディ１１の底壁に設けた操作孔１７ａに露出する。解除釦４５は、電線が錠ばね４４に保持された状態において、操作孔１７ａにマイナスドライバの先端部のような形状の治具を挿入して解除釦４５を押圧することにより、鎖錠片４４ａの先端縁を電線の芯線から引き離し電線を引き抜くことができるようにするものである。この種の端子構造は速結端子として知られている。
【００３４】
ところで、他方の電圧極である刃受ばね３２は、一対の刃受片３２ａの後端間を連続一体に連結する連結片３２ｂを備える点では刃受ばね３１と同様の構成である。ただし、刃受ばね３１では連結片３１ｂの一側縁から前方に立ち上がる接続片３１ｃにより端子板４１に接続されていたのに対して、刃受ばね３２では連結片３２ｂの一側縁と端子板４２とを連結する接続片３２ｃの形状が刃受ばね３１とは異なっている。つまり、接続片３２ｃは、連結片３２ｂから前方に立ち上がった後に側方に延長され、さらに一方の刃受片３２ａに対向するように回り込んだ後に、前方に延長される形状に形成されている。言い換えると、刃受ばね３１では接続片３１ｃにおける端子板４１との接続部位が両刃受片３１ａに略直交しているのに対して、刃受ばね３２では接続片３２ｃにおける端子板４２との接続部位が両刃受片３２ａに略平行している。端子板４２の形状は端子板４１の形状とは対称形状であり、基片４２ａから延設された背当片４２ｂと保持片４２ｃとを備える。また、端子板４１と同様に、背当片４２ｂと保持片４２ｃとの間には錠ばね４４が配置され、また保持片４２ｃと錠ばね４４の鎖錠片４４ａとの間に対応する部位には解除釦４５が配置される。ボディ１１において端子板４２を収納する区画の底壁には、端子板４２に接続する電線の芯線が挿入される電線挿入口１６ｂと、解除釦４５に対応する操作孔１７ｂとが開口する。
【００３５】
接地極である刃受ばね３３は、電圧極の刃受ばね３１，３２と同様に、一対の刃受片３３ａの後端間を連続一体に連結する連結片（図示せず）を備え、連結片の側縁から立ち上がる接続片３３ｃを介して端子板４３を連続一体に接続するように構成されている。つまり、対象となる栓刃が接地極の栓刃であって刃受片３３ａの間隔が刃受片３１ａの間隔よりも大きいことを除けば刃受ばね３１と同様の形状を有している。刃受ばね３３を収納する区画と端子板４３を収納する区画との間の仕切壁１３には、接続片３３ｃが通る接続用切欠１３ｂが形成されている。
【００３６】
端子板４３は、基片４３ａから背当片４３ｂと保持片４３ｃとが各一対ずつ延設されることにより全体としてコ字状に形成されており、両背当片４３ｂの中間部間を連続一体に連結する仲介片４３ｄと、保持片４３ｃの基部間を基縁４３ａに連続一体に連結する橋絡片４３ｅとを備える。刃受ばね３３と端子板４３とは、接続片３３ｃの前端が仲介片４３ｄの後縁に一体に連続することにより接続される。
【００３７】
端子板４３においても、背当片４３ｂと保持片４３ｃとの間に錠ばね４４が配置される。ただし、端子板４３には背当片４３ｂと保持片４３ｃとが各一対設けられているから、２個の錠ばね４４が設けられる。解除釦４５は両錠ばね４４に跨るように配置される。したがって、ボディ１１において端子板４３を収納する区画の底壁には、電線の芯線を挿入するための２個の電線挿入口１６ｃが開口し、解除釦４５を操作するための１個の操作孔１７ｃが開口する。
【００３８】
ところで、電圧極に対応する電線挿入口１６ａ，１６ｂは、図５に示すように、ボディ１１の背面上部において左右に並んでおり、コンセントハウジング１０の寸法の制約によって両電線挿入口１６ａ，１６ｂの距離は比較的近くなるから（たとえば、１８ｍｍ程度）、電線挿入口１６ａ，１６ｂの間の沿面距離を確保するために、ボディ１２の後面には各電線挿入口１６ａ，１６ｂがそれぞれ開口する端子台部１２ｂの間に前方に凹没した分離溝１２ｃを形成してある（図６参照）。このように端子台部１２ｂの間に分離溝１２ｃを形成することにより、電線挿入口１６ａ，１６ｂを通る経路における端子板４１，４２の間の沿面距離が長くなり、結露等に対する安全性が高くなる。なお、接地極に対応する電線挿入口１６ｃは、ボディ１１の背面下部に設けられる。
【００３９】
ボディ１１とカバー１２とを結合するために用いた取付枠２０は、壁面のような施工面にコンセントハウジング１０を取り付けるために設けられているものであって、上述のように、コンセントハウジング１０の組立にも兼用されている。すなわち、取付枠２０は、上下の両取付片２２の左右両端間をそれぞれ縦桟２３により連続一体に連結し中央部に矩形の器具取付窓２４が開口する矩形枠状に金属板によって形成されている。縦桟２３は曲げ強度を大きくするように断面Ｌ字状に形成され、上述した組立脚片２１は各縦桟２３に２個ずつ設けられている。
【００４０】
一方、各取付片２２の長手方向の中央部には長孔状のねじ挿入孔２５がそれぞれ開口する。ねじ挿入孔２５の長手方向の両側にはそれぞれＬ字状の引掛孔２６が形成され、ねじ挿入孔２５の幅方向の一側にはプレート取付孔２７が形成される。ねじ挿入孔２５は、たとえば壁面のような施工面に埋め込まれたスイッチボックスに取付枠２０を取り付ける際には、スイッチボックスに螺合するボックスねじがねじ挿入孔２５に通される。また、施工面が壁パネルのようなパネル材であるときには、施工面に形成した取付孔の周部を取付枠２０とともに挟む挟み金具の一端部を引掛孔２６に引掛けるとともに、挟み金具に螺合する引締ねじがねじ挿入孔２５に通される。したがって、パネル材の裏面側に挟み金具を挿入し、パネル材の表面側に取付枠２０を当接させた状態で、引締ねじを回転させ挟み金具の先端部を取付枠２０に近付けるようにすれば、取付枠２０と挟み金具との間でパネル材を挟持することができ、結果的に取付枠２０がパネル材に固定される。プレート取付孔２７はねじ孔であって、取付枠２０の前面側を覆う化粧プレートを用いる際に、化粧プレートの一部を通してプレート取付孔２７に螺合するプレートねじを用いることで、取付枠２０の前面側を覆う化粧プレートを取付枠２０に結合することができる。
【００４１】
コンセントハウジング１０を構成するボディ１１とカバー１２とを取付枠２０に設けた組立脚片２１により結合した状態において、カバー１２の前端部は取付片２２の前方に突出する。ここで、コンセントハウジング１０の取付枠２０に対するがたつきを防止するために、器具取付窓２４の上下両端縁には前方に突出する位置決め突片２８が設けられる。カバー１２の上下両側面には各２個の係止凹所１２ｄが形成される。係止凹所１２ｄは、カバー１２の前面と略面一になるように配置されカバー１２の前面周囲を囲むように配置される化粧カバー１８を取着するために設けられている。すなわち、化粧カバー１８は、コンセントハウジング１０の前面を露出させる矩形状の窓孔１８ａを有した矩形枠状であって、窓孔１８ａの上下両周部から後方に向かって係止脚片１８ｂが突設されたものであって、係止脚片１８ｂの先端部に設けた係止フック１８ｃが係止凹所１２ｄに係合することによって、カバー１２に取着されるようになっている。この状態において化粧カバー１８の後面は取付枠２０の縦桟２３に載置される（図３参照）。ここに、化粧カバー１８は上述した化粧プレートの内側に配置され、化粧プレートとともに取付枠２０の前面側を覆う。
【００４２】
ところで、図８に示すように、コンセントボディ１０に設けた差込凹所１４において、施工時に下端部となる部位（つまり、差込凹所１４の長手方向において接地極である差込口１５ｃに近い端部）に、差込凹所１４の底面から開口面まで延長された排水溝１４ａを形成するのが望ましい。排水溝１４ａの底面は図８（ｂ）のように、差込凹所１４の底面から開口面に向かって下り傾斜する傾斜面になっている。排水溝１４ａの一端は差込凹所１４の底面に達していなくてもよいが、他端は差込凹所１４の開口面に達していることが必要である。このような排水溝１４を形成することによって、仮に差込凹所１４に水滴が浸入したとしても、差込凹所１４の下端である排水溝１４に導かれ、排水溝１４を通して差込凹所１４の外部に排出されるから、差込凹所１４の内部に水滴が残ることがなく安全性を高めることができる。
【００４３】
（実施形態２）
上述したコンセントは、大角形連用配線器具に用いる取付枠と取付寸法が同寸法である取付枠２０を採用し、コンセントハウジング１０の一部を施工面に埋め込んだ形で施工する例を示したが、本実施形態は、図９に示すように、施工面に露出させる形で施工されるコンセントハウジング１１０を採用する例を示す。
【００４４】
図９に示すコンセントハウジング１１０は、外周縁が正方形状であるベース１１１の前面に後面が開放された薄箱状のカバー１１２が覆着されたものであって、ベース１１１の前面に突設されたボス部１１１ａにカバー１１２を通して螺合する組立ねじ１１３を用いて、ベース１１１にカバー１１２が結合される。ベース１１１の前面には、３区画の収納凹所１１４ａ〜１１４ｃが形成され、各収納凹所１１４ａ〜１１４ｃの間は仕切壁１１５により分離されている。
【００４５】
各収納凹所１１４ａ〜１１４ｃには、それぞれ刃受ばね１２１〜１２３が収納される。各刃受ばね１２１〜１２３は、それぞれ対向して配置された一対の刃受部１２１ａ〜１２３ａを備える。電圧極の刃受ばね１２１，１２２は、両刃受部１２１ａ、１２２ａの後縁間を連結片１２１ｂ，１２２ｂで連続一体に連結しているが、接地極の刃受ばね１２３は、両刃受部１２２ａの後端側部間を連続一体に連結する。つまり、接地極の刃受ばね１２３は、栓刃が挿入される方向における両端部がともに開放されている。各連結片１２１ｂ〜１２３ｂには接続片１２１ｃ〜１２３ｃの一端が連続一体に接続され、接続片１２１ｃ〜１２３ｃの他端は端子板１３１〜１３３に接続される。
【００４６】
端子板１３１〜１３３はベース１１１の前面に沿って配置され、各端子板１３１〜１３３には、取付ねじ１３４がそれぞれ挿入される固定用孔１３１ａ〜１３３ａと、端子ねじ１３５ａ〜１３５ｃがそれぞれ螺合する端子ねじ孔１３１ｂ〜１３３ｂとが形成される。ベース１１１には取付ねじ１３４が螺合する端子固定孔１１６が形成される。つまり、端子板１３１〜１３３は取付ねじ１３４を用いてベース１１１に固定される。また、各端子板１３１〜１３３には、ベース１１１に設けた差込孔１１７に挿入される差込片１３１ｃ〜１３３ｃが突設される。このように差込片１３１ｃ〜１３３ｃを差込孔１１７に差し込むことによって、端子板１３１〜１３３がベース１１１に対して定位置に位置決めされる。実施形態１と同様に、電圧極である刃受ばね１２１，１２２は刃受部１２１ａ，１２２ａの幅方向が互いに直交する。
【００４７】
ところで、カバー１１２の前面中央部には差込凹所１４が形成される。差込凹所１４は実施形態１と同形状であって、差込凹所１４の底面に対応するカバー１１２の前壁には、３個の差込口１５ａ〜１５ｃが穿孔される。つまり、電圧極である矩形状に開口する２個の差込口１５ａ，１５ｂと、接地極である半楕円状の差込口１５ｃとが形成される。差込口１５ａ，１５ｂは長手方向が互いに直交し、実施形態１における差込口１５ａ，１５ｂと同じ位置関係になっている。
【００４８】
本実施形態のコンセントを施工するにあたっては、電線を付設した施工面にベース１１１の裏面を当接させた形で木ねじ等によってベース１１１を施工面に固定する。ベース１１１には電線を通す電線導入口１１８が開口しており、電線導入口１１８からベース１１１の前面側に引き出した電線を、端子ねじ１３５ａ〜１３５ｃによって端子板１３１〜１３３に接続する。その後、ベース１１１にカバー１１２を結合すれば、施工が完了しプラグを接続することが可能になる。
【００４９】
本実施形態の構成では、施工面に埋め込む必要がないから施工が容易になる。また、実施形態１において説明したように接地極の栓刃は電圧極の栓刃に比較してプラグハウジングからの突出寸法が大きくなるが、本実施形態では接地極である刃受ばね１２３について、接地極の栓刃の挿入方向、つまり差込口１５ｃの開口面に直交する方向における両端が開放されているから、刃受ばね１２３の材料の厚み寸法分だけ接地極の栓刃を電圧極の栓刃より深く挿入することが可能になる。また、刃受ばね１２３を収納する収納凹所１１４ｃの底面に接地極の栓刃の先端部が挿入される窪みを形成しておけば、接地極の栓刃をコンセントハウジング１１０の中により深く挿入することが可能になる。つまり、接地極である栓刃の挿入深さを確保しながらも、コンセントハウジング１１０の薄型化が可能になり、コンセントハウジング１１０が施工面から露出する形で施工されるにもかかわらず、コンセントハウジング１１０の薄型化によって施工面からの突出高さの増加を抑制することが可能になる。他の構成および機能は実施形態１と同様である。
【００５０】
なお、上述した実施形態１、実施形態２において、コンセントハウジング１０，１１０に差込凹所１４を形成しているが、コンセントハウジング１０，１１０に差込突台を形成し、プラグにおいて栓刃が突設されるプラグハウジングに、差込突台と嵌合可能な差込凹所を形成してもよい。
【００５１】
以下に、実施形態１、実施形態２として説明したコンセントに適合するプラグについて図１０〜２１を参照して説明する。以下に説明するプラグは、以下のいずれかの構成を含むものである。すなわち、以下に説明するプラグに共通する構成は、接地極を含む３極の栓刃７１〜７３をプラグハウジング６０の一面に突設したプラグであって、電圧極である第１および第２の栓刃７１，７２は、それぞれ断面矩形状であって断面の長手方向が互いに直交するとともに第１の栓刃７１の断面の幅方向において第１の栓刃７１から第２の栓刃７２が離間し、接地極である栓刃７３は、第２の栓刃７２の断面の幅方向において第２の栓刃７２から離間し、第２の栓刃７２の断面の長手方向において第２の栓刃７２の両端のうちの第１の栓刃７１から離れた一端と第１の栓刃７１との間に対応する部位に位置するものである。この構成により、電圧極である第１の栓刃７１と第２の栓刃７２とを断面の長手方向の一直線上に並設する従来構成に比較すると、第２の栓刃７２の断面の長手方向において第１および第２の栓刃７１，７２が占有する寸法を小さくすることができ、従来構成よりも幅寸法の小さいプラグハウジング６０を用いることが可能になる。
【００５２】
また、共通構成に対して、プラグハウジング６０における栓刃７１〜７３の突出方向に直交する断面が、栓刃７１〜７３がそれぞれ差し込まれる３個の差込口１５ａ〜１５ｃを備えたコンセントハウジング１０においてすべての差込口１５ａ〜１５ｃを含む部位に形成した差込凹所１４に合致する形状に形成され、プラグハウジング６０において栓刃側となる一端部が差込凹所１４に嵌合可能である構成を採用することができる。この構成では、プラグをコンセントに差し込む際にプラグハウジング６０の一端部がコンセントハウジング１０に設けた差込凹所１４に嵌合するから、コンセントハウジング１０に設けた差込凹所１４の開口面がプラグハウジング６０により閉塞されるとともに、プラグにおいて栓刃７１〜７３が突出する部位が差込凹所１４の開口面よりも奥方になることにより、ゴミや金属片や水滴のような異物が栓刃に触れにくくなり、安全性を向上させることができる。この構成は、ＩＨクッキングヒータのように比較的異物が付着しやすい場所で使用する場合にとくに有効である。また、プラグハウジング６０がコンセントハウジング１０に設けた差込凹所１４の開口面に合致する断面形状を有しているから、コンセントハウジング１０に対するプラグハウジング６０の投影面積が小さくなり、プラグが小型化される。
【００５３】
あるいはまた、共通構成に対して、栓刃７１〜７３がそれぞれ差し込まれる３個の差込口１５ａ〜１５ｃを備えたコンセントハウジング１０において差込口１５ａ〜１５ｃを設けた一面のうちすべての差込口１５ａ〜１５ｃを含む部位に互いに嵌合可能な差込凹所１４と差込突台６８との一方が形成され、プラグハウジング６０において栓刃７１〜７３が突出する一面のうちすべての栓刃７１〜７３を含む部位には差込凹所１４と差込突台６８との他方が形成された構成を採用することができる。この構成では、プラグをコンセントに差し込む際に差込突台６８と差込凹所１４とが嵌合するから、プラグにおいて栓刃７１〜７３が突出する面がプラグとコンセントとを突き合わせる面とは異なる面になることにより、ゴミや金属片や水滴のような異物が栓刃に触れにくくなり、安全性を向上させることができる。この構成は、ＩＨクッキングヒータのように比較的異物が付着しやすい場所で使用する場合にとくに有効である。
【００５４】
この構成に加えて、栓刃７１〜７３を設けたプラグハウジング６０の外側面のうち栓刃７１〜７３の突出する一面に交差する面に引抜用窪み部６９が形成され、引抜用窪み部６９のうち栓刃７１〜７３が突出する面から遠い部位に、指を掛ける掛かり段差部６９ａが形成されたものを採用すれば、プラグをコンセントから抜くときに掛かり段差部６９ａに指が掛かるから、コンセントを引き抜く作業が容易になり、しかも掛かり段差部６９ａによって指からの力をプラグハウジング６０に伝達することができるから、栓刃７１〜７３の突出方向におけるプラグハウジング６０の厚み寸法を小さくすることが可能になる。
【００５５】
また、引掛用窪み部６９を備える構成に加えて、前記引抜用窪み部６９のうち栓刃７１〜７３が突出する面に近い部位に、栓刃７１〜７３への指の接触を防止する仕切段差部６９ｂが形成されている構成を採用するのが望ましい。この構成によれば、引抜用窪み部６９ｂに当てた指と栓刃７１〜７３との間に仕切段差部６９ｂが存在することによって、指が栓刃７１〜７３に接触することが防止され、プラグをコンセントから引き抜く作業時の安全性を高めることができる。
【００５６】
上述したいずれのプラグであっても、栓刃７１〜７３に設けたかしめ部７１ｅ，７２ｅ，７３ｅに電線Ｌ１〜Ｌ３がかしめ結合され、プラグハウジング６０が栓刃７１〜７３と同時一体に成形されている構成を採用することができる。この構成を採用すると、栓刃７１〜７３と電線Ｌ１〜Ｌ３とがかしめ結合され、しかもプラグハウジング６０が栓刃７１〜７３と同時一体に成形されているから、プラグハウジング６０が分解されることによって内部の充電部が露出するということがなく、しかも部品点数が少なく安価に提供することが可能になる。
【００５７】
あるいは、栓刃７１〜７３に設けた端子部７１ｂ，７２ｂ，７３ｂに螺合する端子ねじ７５ａ〜７５ｃにより電線Ｌ１〜Ｌ３が接続され、プラグハウジング６０が、栓刃７１〜７３が固定されたプラグボディ６１と、栓刃７１〜７３の突出方向においてプラグボディ６１に突き合わせられるプラグカバー６２とにより形成される構成を採用することができる。この構成を採用すると、栓刃７１〜７３と電線Ｌ１〜Ｌ３とが端子ねじ７５ａ〜７５ｃを用いて接続され、しかもプラグボディ６１とプラグカバー６２とを突き合わせてプラグハウジング６０を構成しているから、現場において所望の長さの電線Ｌ１〜Ｌ３を接続することが可能であって、電線Ｌ１〜Ｌ３の無駄を防止することができる。
【００５８】
プラグボディ６１とプラグカバー６２とを突き合わせる構成では、プラグハウジング６０から電線Ｌ１〜Ｌ３を引き出す部位に、プラグハウジング６０に固定されるとともに電線Ｌ１〜Ｌ３（ケーブルＬｐ）を保持する張力止め部材６７ｂを設けるのが望ましい。この構成を採用すると、電線Ｌ１〜Ｌ３を端子ねじ７５ａ〜７５ｃによって栓刃７１〜７３に接続する構成を採用しながらも張力止め部材６７ｂを設けているから、電線Ｌ１〜Ｌ３に作用する張力が栓刃７１〜７３との接続部位に作用するのを防止することができる。
【００５９】
上述したプラグでは、プラグハウジング６０において栓刃７１〜７３が突出する面のうち両電圧極の栓刃７１，７２の間の部位には両栓刃７１，７２の間の沿面距離を大きくする溝部６８ａを形成するのが望ましい。この構成では、両電圧極の栓刃７１，７２の間の部位でプラグハウジング６０に溝部６８ａが形成されていることによって、両電圧極の栓刃７１，７２の間の沿面距離を大きくとることができ、結露等による沿面放電が発生せず安全性が向上する。
【００６０】
（プラグ−１）
図１０ないし図１４に示すプラグは、コンセントハウジング１０に開口する差込口１５ａ〜１５ｃにそれぞれ挿入される３本の栓刃７１〜７３を保持するプラグハウジング６０を備える。プラグハウジング６０は、それぞれ薄箱状に形成されたプラグボディ６１およびプラグカバー６２を突き合わせて形成されるものであって、プラグボディ６１とプラグカバー６２とは、プラグボディ６１の内底面に突設したボス６１ａにプラグカバー６２を通してそれぞれ螺合する３本の組立ねじ６３を用いて結合される。
【００６１】
プラグボディ６１の内部は、中央部に設けた筒状の仕切壁６４ａと、仕切壁６４の外周面とプラグボディ６１の上端（図１０の右上端）に設けたボス６１ａの外周面との間を連結する形で形成された仕切壁６４ｂとにより３室に分割されている。仕切壁６４ａの左右の各室には、プラグボディ６１の内底面からの突出寸法がボス６１ａよりも小さい端子用ボス６１ｂがそれぞれ形成され、各端子用ボス６１ｂには電圧極である栓刃７１，７２が取付ねじ７４を用いてそれぞれ固定される（図１５参照）。
【００６２】
栓刃７１は、平板状の刃部７１ａと刃部７１ａに直交する形で連続する端子部７１ｂとを備える。刃部７１ａはプラグボディ６１の底壁に穿孔した導出孔６５ａを通してプラグハウジング６０の外部に突出する。端子部７１ｂは、刃部７１ａの厚み方向に延長された後に刃部７１ａの幅方向に延長された形状であって、端子部７１ｂには、上述した取付ねじ７４が挿入される固定用孔７１ｃとともに、端子ねじ７５ａが螺合する端子ねじ孔７１ｄが形成される。
【００６３】
栓刃７２は、栓刃７１と同様に、平板状の刃部７２ａと刃部７２ａに直交する形で連続する端子部７２ｂとを備え、刃部７２ａはプラグボディ６１の底壁に穿孔した導出孔６５ｂを通してプラグハウジング６０の外部に突出する。一方、端子部７２ｂは、刃部７２ａの厚み方向に延長された形状であって、端子部７２ｂには、上述した取付ねじ７４が挿入される固定用孔７２ｃとともに、端子ねじ７５ｂが螺合する端子ねじ孔７２ｄが形成される。
【００６４】
各栓刃７１，７２において、端子部７１ｂ，７２ｂに端子ねじ７５ａ，７５ｂが螺合する位置は、プラグボディ６１の上端部に設けたボス６１ａの左右であって、端子ねじ７５ａ，７５ｂは左右方向の一直線上に並ぶように配置され、刃部７１ａ、７２ａは互いに直交するように配置される。すなわち、刃部７１ａ，７１ｂは、コンセントに設けた差込口１５ａ，１５ｂに適合するように配置される。
【００６５】
接地極である栓刃７３は、栓刃７１，７２と同様に刃部７３ａと端子部７３ｂとを備え、刃部７３ａの長手方向に対して端子部７３ｂが直交する形に形成されている。ただし、刃部７３ａは平板状ではなく断面Ｕ字状に曲成されている。端子部７３ｂは仕切壁６４ａの内側に配置可能な形状に形成されており、端子部７３ｂには仕切壁６４ａの内側においてプラグボディ６１の内底面に設けた端子用ボス（図示せず）に螺合する取付ねじ７４が挿入される固定用孔７３ｃと、端子ねじ７５ｃが螺合する端子ねじ孔７３ｄとが形成される。プラグボディ６１の底壁には、刃部７３ａを外部に突出させるための導出孔６５ｃが形成される。ここに、接地極である栓刃７３の刃部７３ａがプラグボディ６１から突出する寸法は、電圧極である栓刃７１，７２の刃部７１ａ，７２ａがプラグボディ６１から突出する寸法よりも大きく設定されている。
【００６６】
仕切壁６４ａの一部には端子ねじ７５ｃによって栓刃７３に接続される電線を仕切壁６４ａの外部に引き出すための引出孔６４ｃが形成される。各栓刃７１〜７３にそれぞれ端子ねじ７５ａ〜７５ｃを用いて接続された電線は、プラグハウジング６０の下壁（図１０の左下壁）においてプラグボディ６１とプラグカバー６２とに跨る形で形成された円形の電線引出口６０ａを通して外部に引き出される。つまり、プラグハウジング６０に対する栓刃７１〜７３の突出方向と電線の引出方向とが直交しており、コンセントへの接続時にコンセントからの電線の突出量が小さくなるようにしてある。プラグボディ６１には、プラグボディ６１の内底面との間に電線を挟持する張力止め板６７が配置され、張力止め板６７の両端部はプラグボディ６１に設けた止め孔６１ｃに対応して設けたナットに螺合する止めねじ６７ａによってプラグボディ６１に固定される。
【００６７】
プラグハウジング６０の外側面において栓刃７１〜７３が突出する導出孔６５ａ〜６５ｃを囲む部位には、コンセントに設けた差込凹所１４に嵌合する差込突台６８が突設される。すなわち、差込突台６８の外周縁は、上下両端部が弧状であり、両弧状部分を左右の直線部分で連続させた上下方向に長い長円状に形成されている。栓刃７１の刃部７１ａは差込突台６８の直線部分に平行であり、プラグボディ６１の外側面に対して差込突台６８の周面は直交する。このように、差込突台６８の先端面から栓刃７１〜７３を突出させ、差込凹所１４の底面に開口する差込口１５ａ〜１５ｃに栓刃７１〜７３を挿入するから、コンセントハウジング１０とプラグハウジング６０とにおける差込凹所１４と差込突台６８とを除く部位の突き合わせ面が、プラグハウジング６０から栓刃７１〜７３の突出する面とは異なることになり、栓刃７１〜７３に対して異物が付着しにくくなって安全性が高くなる。差込突台６８の先端面であって両電圧極の栓刃７１，７２の間の部位には栓刃７１の刃部７１ａに平行な２条の溝部６８ａが形成され、両栓刃７１，７２の間の沿面距離が大きくなっている。
【００６８】
プラグハウジング６０の外側面であって、左右両側面と上面との３箇所には、それぞれ引抜用窪み部６９が形成される。引抜用窪み部６９は、プラグハウジング６０をコンセントハウジング１０から取り外す際に、プラグカバー６２に設けた掛かり段差部６９ａが指の掛かりとなるように形成されており、コンセントからのプラグの取り外し作業が容易になる。つまり、掛かり段差部６９ａがなければプラグハウジング６０の厚み寸法を大きくすることによって指との摩擦力を確保する必要があるが、掛かり段差部６９ａを設けたことにより指の掛かりがよくなり、結果的にプラグハウジング６０の厚み寸法を比較的小さくすることができる。指の掛かりを確保するだけであれば、引抜用窪み部６９に掛かり段差部６９ａのみを設ければよいが、プラグをコンセントから抜く際に栓刃７１〜７３への指の接触を防止するために、引抜用窪み部６９において栓刃７１〜７３が突出する面に近い側には仕切段差部６９ｂが形成される。つまり、掛かり段差部６９ａと仕切段差部６９ｂとの間において引抜用窪み部６９が形成されている。このような構成によって、薄型のプラグハウジング６０を備えるプラグをコンセントから抜くにもかかわらず、栓刃７１〜７３に指が接触することが防止され、コンセントからプラグを抜く作業を安全に行うことができる。
【００６９】
（プラグ−２）
プラグ−１では、栓刃７１〜７３にそれぞれ端子部７１ｂ，７２ｂ，７３ｂを設け、端子部７１ｂ，７２ｂ，７３ｂに螺合する端子ねじ７５ａ〜７５ｃを用いて電線を接続する構成を採用しているが、本例では、図１６に示すように、各栓刃７１〜７３に断面Ｕ字状のかしめ部７１ｅ，７２ｅ，７３ｅを設け、かしめ部７１ｅ，７２ｅ，７３ｅに電線Ｌ１，Ｌ２，Ｌ３をそれぞれかしめ結合する構成を採用している。つまり、電線Ｌ１〜Ｌ３の芯線をかしめ部７１ｅ，７２ｅ，７３ｅの内側に配置し、電線Ｌ１〜Ｌ３を巻くようにかしめ部７１ｅ，７２ｅ，７３ｅをかしめることによって、電線Ｌ１〜Ｌ３を栓刃７１〜７３に接続している。
【００７０】
また、本例のプラグハウジング６０は、プラグボディ６１およびプラグカバー６２を突き合わせて形成したものではなく、合成樹脂によって栓刃７１〜７３と同時一体に成形してある。つまり、栓刃７１〜７３に電線Ｌ１〜Ｌ３を接続した後に、プラグハウジング６０を一体に成形しているのであって、栓刃７１〜７３と電線Ｌ１〜Ｌ３との接続部がプラグハウジング６０に埋設され、さらに電線Ｌ１〜Ｌ３の一部もプラグハウジング６０に埋設されることになる。３本の電線Ｌ１〜Ｌ３はシースに収納されることによって１本のケーブルＬｐを形成しており、プラグハウジング６０からはケーブルＬｐが引き出される。ケーブルＬｐの引出位置（つまり、電線の引出位置）はプラグ−１と同様であって、栓刃７１〜７３の突出方向とケーブルＬｐの引出方向とを直交させてある。プラグハウジング６０においてケーブルＬｐが引き出される部位には、図１７のように、プラグハウジング６０と連続一体にプラグハウジング６０から突出する形でブッシング６６が形成されている。ブッシング６６はケーブルＬｐを包んでおり、ケーブルＬｐの屈曲に応じて撓むことができるように可撓に形成されている。ケーブルＬｐに作用する張力は、ケーブルＬｐが挿通されているブッシング６６と、電線Ｌ１〜Ｌ３が埋入されているプラグハウジング６０とによって、栓刃７１〜７３と電線Ｌ１〜Ｌ３との結合部位に及ばないように止められる。また、ケーブルＬｐに作用する張力の一部が栓刃７１〜７３と電線Ｌ１〜Ｌ３との結合部位に及んだとしても、電線Ｌ１〜Ｌ３と栓刃７１〜７３とがかしめ結合によって強固に結合されているから、電源Ｌ１〜Ｌ３が栓刃７１〜７３から外れることはない。他の構成および機能はプラグ−１として説明したプラグと同様である。
【００７１】
（プラグ−３）
プラグ−１、プラグ−２では、プラグハウジング６０からの栓刃７１〜７３の突出方向とプラグハウジング６０からの電線（ケーブルＬｐ）の引出方向とが直交する例を示したが、本例は、図１８および図１９に示すように、プラグハウジング６０からの栓刃７１〜７３の突出方向とプラグハウジング６０からの電線（ケーブルＬｐ）の引出方向とが平行するものである。また、プラグハウジング６０は栓刃７１〜７３の突出方向に直交する断面が、コンセントハウジング１０に設けた差込凹所１４の開口面に合致する形状に形成されている。つまり、プラグハウジング６０の外周面は栓刃７１〜７３の突出方向に直交する断面が、コンセントハウジング１０に設けた差込凹所１４の内周面の形状に合致し、栓刃７１〜７３の突出方向におけるプラグハウジング６０の一端部がコンセントハウジング１０に設けた差込凹所１４に嵌合可能になっている。
【００７２】
このように、プラグハウジング６０の一部がコンセントハウジング１０に設けた差込凹所１４に挿入されることによって、プラグハウジング６０は、プラグ−１、プラグ−２における差込突台６８と同様に機能し、差込凹所１４の開口面がプラグハウジング６０により閉塞されるとともに、差込凹所１４の開口面よりも奥方で栓刃７１〜７３が差込口１５ａ〜１５ｃに挿入されることになる。つまり、ゴミや金属片や水滴のような異物が栓刃に触れにくくなり、安全性を向上させることができる。しかも、コンセントハウジング１０に対するプラグハウジング６０の投影面積は、差込凹所１４の開口面と同程度の面積であるから、プラグ−１、プラグ−２の構成に比較すると投影面積が小さくなり、小型のプラグを提供することができる。
【００７３】
ところで、本例のプラグハウジング６０は、栓刃７１〜７３の突出方向において分割可能であって、栓刃７１〜７３を保持しているプラグボディ６１と、栓刃７１〜７３の突出方向においてプラグボディ６１に突き合わせられ栓刃７１〜７３と電線Ｌ１〜Ｌ３（図１６参照）との接続部位をプラグボディ６１とともに覆うプラグカバー６２とにより形成される。プラグボディ６１とプラグカバー６２との外周面は、栓刃７１〜７３の突出方向に直交する断面において長円状であり同形状に形成される。また、プラグボディ６１とプラグカバー６２とはともに有底筒状であって、栓刃７１〜７３の突出方向における寸法については、プラグカバー６２がプラグボディ６１よりも大きくなっている。プラグボディ６１とプラグカバー６２とは、プラグボディ６１に立設したボス（図示せず）にプラグカバー６２を通して螺合する組立ねじ（図示せず）により結合される。また、プラグボディ６１とプラグカバー６２との着脱が不要であれば、プラグボディ６１とプラグカバー６２とを超音波溶着のような技術によって固着してもよい。
【００７４】
ケーブルＬｐはプラグカバー６２の底壁から外部に引き出され、プラグカバー６２に固定された一対の張力止め部材６７ｂの間に挟持される。両張力止め部材６７ｂは、ケーブルＬｐを挟持する断面半円状の筒部６７ｃと、筒部６７ｃから延設される可撓片６７ｄと、可撓片６７ｄの先端から可撓片６７ｄに直交する形で延設されプラグカバー６２に固定される固定片６７ｅとをそれぞれ備える。また、筒部６７ｃの両側縁には取付片６７ｆが延設され、一方の張力止め部材６７ｂにおける取付片６７ｆを通して挿入された止めねじ６７ｇが他方の張力止め部材６７ｂにおける取付片６７ｆに螺合することによって、止めねじ６７ｇの締め付け量に応じて、両筒部６７ｃの間の距離を変化させることができるようになっている。つまり、可撓片６７ｄは一端部がプラグカバー６２に固定されているが筒部６７ｃに連続する他端部が自由端になっているから、止めねじ６７ｇの締め付け量に応じて可撓片６７ｄの撓み量が変化し、両筒部６７ｃの間の距離を変化させることが可能になるのである。他の構成および機能はプラグ−１において説明したプラグと同様である。
【００７５】
（プラグ−４）
本例は、図２０および図２１に示すように、プラグ−３と同様の外観形状を有するプラグであって、各栓刃７１〜７３に断面Ｕ字状のかしめ部７１ｅ，７２ｅ，７３ｅ（図１６参照）を設け、かしめ部７１ｅ，７２ｅ，７３ｅに電線Ｌ１，Ｌ２，Ｌ３をそれぞれかしめ結合する構成を採用している。つまり、電線Ｌ１〜Ｌ３の芯線をかしめ部７１ｅ，７２ｅ，７３ｅの内側に配置し、電線Ｌ１〜Ｌ３を巻くようにかしめ部７１ｅ，７２ｅ，７３ｅをかしめることによって、電線Ｌ１〜Ｌ３を栓刃７１〜７３に接続している。
【００７６】
本例のプラグハウジング６０は、合成樹脂によって栓刃７１〜７３と同時一体に成形してある。つまり、栓刃７１〜７３に電線Ｌ１〜Ｌ３を接続した後に、プラグハウジング６０を一体に成形している。この構成により、栓刃７１〜７３と電線Ｌ１〜Ｌ３との接続部がプラグハウジング６０に埋設され、さらに電線Ｌ１〜Ｌ３の一部もプラグハウジング６０に埋設される。
【００７７】
プラグハウジング６０からのケーブルＬｐの引出位置（つまり、電線の引出位置）はプラグ−３と同様であって、栓刃７１〜７３の突出方向とケーブルＬｐの引出方向とは平行している。プラグハウジング６０においてケーブルＬｐが引き出される部位には、プラグハウジング６０と連続一体にプラグハウジング６０から突出する形でブッシング６６が形成されている。ブッシング６６はケーブルＬｐを包み、ケーブルＬｐの屈曲に応じて撓むことができるように可撓に形成されている。ケーブルＬｐに作用する張力は、ケーブルＬｐが挿通されているブッシング６６と、電線Ｌ１〜Ｌ３が埋入されているプラグハウジング６０とによって、栓刃７１〜７３と電線Ｌ１〜Ｌ３との結合部位に及ばないように止められる。また、ケーブルＬｐに作用する張力の一部が栓刃７１〜７３と電線Ｌ１〜Ｌ３との結合部位に及んだとしても、電線Ｌ１〜Ｌ３と栓刃７１〜７３とがかしめ結合によって強固に結合されているから、電源Ｌ１〜Ｌ３が栓刃７１〜７３から外れることはない。他の構成および機能はプラグ−３として説明したプラグと同様である。他の構成および機能はプラグ−３において説明したプラグと同様である。
【図面の簡単な説明】
【００７８】
【図１】実施形態１のコンセントを示す分解斜視図である。
【図２】同上の正面図である。
【図３】同上の下面図である。
【図４】同上の一部破断した側面図である。
【図５】同上の背面図である。
【図６】同上の要部平面図である。
【図７】同上のカバーを外した正面図である。
【図８】実施形態１のコンセントの他例を示し、（ａ）は正面図、（ｂ）は一部破断した側面図である。
【図９】実施形態２を示す分解斜視図である。
【図１０】プラグを示す分解斜視図である。
【図１１】同上の斜視図である。
【図１２】同上の正面図である。
【図１３】同上の側面図である。
【図１４】同上の背面図である。
【図１５】同上のプラグカバーを外した正面図である。
【図１６】他のプラグを示し、（ａ）は正面図、（ｂ）は側面図、（ｃ）は下面図である。
【図１７】同上の斜視図である。
【図１８】さらに他のプラグを示し、（ａ）は正面図、（ｂ）は側面図、（ｃ）は下面図である。
【図１９】同上の斜視図である。
【図２０】別のプラグを示し、（ａ）は正面図、（ｂ）は側面図、（ｃ）は下面図である。
【図２１】同上の斜視図である。
【図２２】従来例を示す正面図である。
【符号の説明】
【００７９】
１０  コンセントハウジング
１２ｃ  分離溝
１４  差込凹所
１４ａ  排水溝
１５ａ  （第１の）差込口
１５ｂ  （第２の）差込口
１５ｃ  差込口（接地極）
１６ａ〜１６ｃ  電線挿入口
３１〜３３  刃受ばね
４４  錠ばね
６０  プラグハウジング
６８  差込突台
７１  （第１の）栓刃
７２  （第２の）栓刃
７３  栓刃（接地極）
１１０  コンセントハウジング
１２１〜１２３  刃受ばね
Ｌ１〜Ｌ３  電線
Ｌｐ  ケーブル
【図１】
2005100908.tif 000003
【図２】
2005100908.tif 000004
【図３】
2005100908.tif 000005
【図４】
2005100908.tif 000006
【図５】
2005100908.tif 000007
【図６】
2005100908.tif 000008
【図７】
2005100908.tif 000009
【図８】
2005100908.tif 000010
【図９】
2005100908.tif 000011
【図１０】
2005100908.tif 000012
【図１１】
2005100908.tif 000013
【図１２】
2005100908.tif 000014
【図１３】
2005100908.tif 000015
【図１４】
2005100908.tif 000016
【図１５】
2005100908.tif 000017
【図１６】
2005100908.tif 000018
【図１７】
2005100908.tif 000019
【図１８】
2005100908.tif 000020
【図１９】
2005100908.tif 000021
【図２０】
2005100908.tif 000022
【図２１】
2005100908.tif 000023
【図２２】
2005100908.tif 000024
【手続補正書】
【提出日】平成15年10月28日(2003.10.28)
【手続補正１】
【補正対象書類名】明細書
【補正対象項目名】全文
【補正方法】変更
【補正の内容】
【発明の詳細な説明】
【技術分野】
【０００１】
本発明は、２５０Ｖ３０Ａ用のような高電圧高容量のコンセントに関するものである。
【背景技術】
【０００２】
近年、一般家庭において電源電圧が２００Ｖである電気機器が普及してきている。とくに、ＩＨクッキングヒータの普及率の上昇は著しく、この種の電気機器では定格が２５０Ｖ３０Ａであるコンセントが必要になる。
【０００３】
高電圧高容量のコンセントとしては、図１０に示すように、接地極を含む３極の構成であって、電圧極である２極に対応するプラグの栓刃は平形栓刃であり、コンセントにおいて栓刃が差し込まれる差込口２ａ，２ｂはコンセントハウジング１の一面に矩形状に開口するものが提供されている。電圧極である２個の差込口２ａ，２ｂは長手方向の中心線を一致させる形で並設され、接地極である差込口２ｃは、電圧極である差込口２ａ，２ｂの幅方向に離間しかつ電圧極である両差込口２ａ，２ｂの長手方向において互いに離れた端部間の中央位置に対応するように配置されている（たとえば、特許文献１参照）。
【特許文献１】特開２００２−３５２８９５号公報
【発明の開示】
【発明が解決しようとする課題】
【０００４】
ところで、上述したコンセントは、電圧極である矩形状の差込口２ａ，２ｂが長手方向の中心線を一致させる形で並設されているものであるから、差込口２ａ，２ｂの長手方向においてコンセントハウジング１が差込口２ａ，２ｂの長手方向の２倍以上の寸法になる。つまり、高電圧高容量のコンセントとプラグとは比較的大型になるという問題がある。
【０００５】
一方、一般に普及しているコンセントとして施工面に一部を埋め込んた形で施工される埋込型の配線器具が知られており、この種の配線器具はＪＩＳ規格において大角形連用配線器具として規格化されている。
【０００６】
この種の配線器具において差込口を設けることができる面の幅寸法は３６ｍｍ程度であって、差込口に挿入される栓刃の幅寸法は一般に９ｍｍ程度であるから、電圧極の間の距離を確保し、差込口の周辺におけるコンセントハウジングの強度を確保するには、コンセントハウジングの寸法に余裕がなく、差込口の配列が上述の形である２００Ｖに対応するコンセントを、大角形連用配線器具として構成することは困難である。また、大角形連用配線器具となるコンセントハウジングであっても３個モジュール寸法であって長手方向に差込口の長手方向を一致させれば、電圧極の差込口をコンセントハウジングの寸法内に配列することが可能であるが、２００Ｖのコンセントには接地極が必要であって、電圧極と接地極との差込口がコンセントハウジングの幅方向に離間して配置されるから、結局はコンセントハウジングの寸法に余裕がなくなる。しかも、施工状態において接地極が電圧極の側方に位置するから、使用者は不安定な印象を受け違和感を持つことになる。
【０００７】
本発明は上記事由に鑑みて為されたものであり、その目的は、コンセントハウジングを従来構成よりも小型化することができコンセントハウジングが大角形連用配線器具の寸法であっても違和感を生じることなく形成することができるようにしたコンセントを提供することにある。
【課題を解決するための手段】
【０００８】
請求項１の発明は、コンセントであって、接地極を含む３極の栓刃が差し込まれる３個の差込口がコンセントハウジングに開口するコンセントであって、電圧極である第１および第２の差込口は、それぞれ矩形状に開口しかつ長手方向が互いに直交するとともに第１の差込口の幅方向において第１の差込口から第２の差込口が離間し、接地極である差込口は、第２の差込口の幅方向において第２の差込口から離間し、第２の差込口の長手方向において第２の差込口の両端のうちの第１の差込口から離れた一端と第１の差込口との間に対応する部位に位置することを特徴とする。
【０００９】
この構成によれば、電圧極である第１の差込口と第２の差込口とを長手方向の一直線上に並設する従来構成に比較すると、第２の差込口の長手方向において第１および第２の差込口が占有する寸法を小さくすることができ、従来構成よりも幅寸法の小さいコンセントハウジングを用いることが可能になる。その結果、定格が２５０Ｖ３０Ａのコンセントハウジングを大角形連用配線器具の寸法とすることが可能になり、このような寸法のコンセントハウジングを用いれば、広く採用されている大角形連用配線器具と同様に施工することが可能になる。
【００１０】
請求項２の発明では、請求項１の発明において、前記栓刃を備えるプラグハウジングにおいて栓刃が突出する一面のうちすべての栓刃を含む部位に互いに嵌合可能な差込突台と差込凹所との一方が形成され、前記コンセントハウジングにおいて差込口が開口する一面のうちすべての差込口を含む部位には差込突台と差込凹所との他方が形成されていることを特徴とする。
【００１１】
この構成によれば、プラグをコンセントに差し込む際に差込突台と差込凹所とが嵌合するから、プラグにおいて栓刃が突出する面がコンセントの前面とは異なる面になり、ゴミや金属片や水滴のような異物が栓刃に触れにくくなり、安全性を向上させることができる。この構成は、ＩＨクッキングヒータのように比較的異物が付着しやすい場所で使用する場合にとくに有効である。
【００１２】
請求項３の発明では、請求項２の発明において、前記差込凹所の開口面は、前記第１の差込口の長手方向の寸法が第１の差込口の幅方向の寸法よりも大きくなる形状に形成されていることを特徴とする。
【００１３】
この構成によれば、第１の差込口の幅方向においてコンセントハウジングを連接する場合に、コンセントに接続されるプラグを互いに干渉させないようにしながらも、比較的狭い間隔でコンセント口を第１の差込口の幅方向において並設することが可能になる。
【００１４】
請求項４の発明では、請求項３の発明において、前記差込凹所は前記コンセントハウジングに設けられ、差込凹所の内周面の一部は前記第１の差込口の長手方向と平行であることを特徴とする。
【００１５】
この構成によれば、差込凹所の長手方向の内周面が第１の差込口に挿入される栓刃のガイドになり、プラグを挿入しやすくなる。
【００１６】
請求項５の発明では、請求項２または請求項３の発明において、前記差込凹所は前記コンセントハウジングに設けられ、差込凹所の内周面のうち施工時において下端部となる部位に差込凹所の開口面まで延長された排水溝が形成されていることを特徴とする。
【００１７】
この構成によれば、差込凹所の内部に水滴が入り込んだとしても排水溝から排出され、差込凹所の内部に水滴が溜まるのを防止することができる。
【００１８】
請求項６の発明では、請求項２または請求項３の発明において、前記差込凹所は前記コンセントハウジングに設けられ、コンセントハウジングの前記一面の中心と差込凹所の中心とが一致することを特徴とする。
【００１９】
この構成によれば、プラグを接続したときにプラグに対して偏った外力が作用しにくく、またプラグを接続した状態での見映えがよくなる。
【００２０】
請求項７の発明では、請求項１の発明において、前記コンセントハウジングの内部において前記各差込口に対応する部位にそれぞれ配置されるとともに前記栓刃を受ける刃受ばねのうち接地極である刃受ばねは、差込口の開口面に直交する方向の両端部が開放されていることを特徴とする。
【００２１】
この構成によれば、接地極の栓刃を電圧極の栓刃よりも長く形成している場合に、接地極の栓刃を刃受ばねを形成する材料の厚み寸法だけ深く挿入することができ、栓刃の挿入方向におけるコンセントハウジングの厚み寸法を低減することが可能になる。
【００２２】
請求項８の発明では、請求項１の発明において、前記コンセントハウジングの内部において前記各差込口に対応する部位にそれぞれ配置されるとともに前記栓刃を受ける刃受ばねのうち電圧極である刃受ばねに電線を接続する端子は、コンセントハウジングに開口する電線挿入口を通してコンセントハウジングに導入された電線を錠ばねのばね力により接続する速結端子であって、コンセントハウジングの外側面のうち電圧極に対応する２個の電線挿入口の間の部位には、電線挿入口間の沿面距離を大きくする分離溝が形成されていることを特徴とする。
【００２３】
この構成によれば、電線が挿入される電線挿入口間の沿面距離が分離溝によって大きくなるから、結露等による沿面放電が発生せず安全性が向上する。
【発明の効果】
【００２４】
本発明のコンセントの構成によれば、電圧極である第１の差込口と第２の差込口とを長手方向の一直線上に並設する従来構成に比較すると、第２の差込口の長手方向において第１および第２の差込口が占有する寸法を小さくすることができ、従来構成よりも幅寸法の小さいコンセントハウジングを用いることが可能になるという利点がある。
【発明を実施するための最良の形態】
【００２５】
（実施形態１）
図１ないし図５に示すコンセントは、ＪＩＳ規格において規格化された大角形連用配線器具として構成したものであって、コンセントハウジング１０は、前面（図１の上面）が開放されたボディ１１と、ボディ１１に前面に覆着されるカバー１２とを結合することにより全体として直方体状に形成される。ボディ１１およびカバー１２には、長手方向に沿った両側面に組立突起１１ａ，１２ａがそれぞれ突設され、後述する矩形枠状である金属製の取付枠２０に設けた枠状の組立脚片２１に、ボディ１１とカバー１２との組立突起１１ａ，１２ａを挿入し、組立脚片２１をかしめることにより、ボディ１１とカバー１２とが結合される。
【００２６】
ボディ１１の内部空間は仕切壁１３によって６区画に分割され、３区画にはそれぞれ刃受ばね３１〜３３が収納され、残りの３区画には各刃受ばねと一体に設けた端子板４１〜４３が収納される。刃受ばね３１〜３３および端子板４１〜４３については後述する（図７参照）。
【００２７】
カバー１２の前面中央部には差込凹所１４が凹設され、差込凹所１４の底面には３個の差込口１５ａ〜１５ｃが開口する。差込凹所１４の中心位置はコンセントハウジング１０の前面の中心位置に略一致させてある。差込口１５ａ〜１５ｃのうちの２個の差込口１５ａ，１５ｂはプラグにおける電圧極の栓刃が挿入され、残りの１個の差込口１５ｃは接地極の栓刃が挿入される。電圧極の栓刃は平板状である平形栓刃であり、差込口１５ａ，１５ｂは矩形状に開口する。また、接地極の栓刃は断面Ｕ字状であり、差込口１５ｃは半楕円状に開口する。
【００２８】
電圧極である差込口１５ａ，１５ｂは、長手方向が互いに直交し、差込口１５ａの幅方向において差込口１５ａから差込口１５ｂが離間するように配置される。また、差込口１５ｂの長手方向に沿った中心線は差込口１５ａの長手方向における中心に略一致する。差込口１５ａ，１５ｂをこのように配置していることによって、電圧極である差込口１５ａ，１５ｂの長手方向の中心線を一致させている従来構成に比較すると、第２の差込口１５ｂの長手方向において両差込口１５ａ，１５ｂが占める幅寸法を小さくすることができ、結果的にコンセントハウジング１０の前面の幅寸法を従来構成よりも小さくすることが可能になるのであって、本実施形態のような大角形連用配線器具の３個モジュール寸法に相当する寸法のコンセントハウジング１０を用いることが可能になる。接地極である差込口１５ｃは、差込口１５ｂの幅方向において差込口１５ｂから離間しており、差込口１５ｂの長手方向における差込口１５ｂの両端のうち差込口１５ａから離れた一端と差込口１５ｂとの間に対応する部位に位置する。差込口１５ａの長手方向に沿った差込口１５ｃの中心線は、差込口１５ａの長手方向に沿った差込凹所１４の中心線と一致し、この中心線を挟んで両差込口１５ａ，１５ｂは互いに反対側に配置される。ただし、上記中心線と差込口１５ｂとの距離は差込口１５ａとの距離よりも小さく設定される。
【００２９】
ところで、差込凹所１４の開口面は、差込口１５ａの長手方向における寸法が差込口１５ａの幅方向における寸法よりも大きくなる長円状に形成されている。すなわち、差込凹所１４の開口面は、差込口１５ａの長手方向における各端部がそれぞれ弧状であって、弧状部分を直線部分で連結した形状に形成されている。差込凹所１４の開口面における直線部分に対応する部位では、差込凹所１４の内周面は差込口１５ａの長手方向と平行に形成される。また、本実施形態では差込凹所１４の内周面は差込凹所１４の底面に対して直交する。
【００３０】
差込凹所１４は、コンセントに差し込まれるプラグにおいて栓刃が突設されているプラグハウジングの一部が嵌合するように形成されている。つまり、プラグハウジングのうち栓刃が突設される一面に栓刃を囲む形で差込突台が突設され、この差込突台が差込凹所１４に嵌合する。あるいはまた、プラグハウジングが差込突台の開口面に合致する断面形状に形成され、プラグハウジングの一部が差込凹所１４に嵌合する。この構成により、プラグにおいて栓刃が突出する面がコンセントハウジングの前面とは異なる面になるから、ゴミや金属片や水滴のような異物が栓刃に触れにくくなり、とくに、ＩＨクッキングヒータのように比較的異物が付着しやすい場所で使用する場合の安全性を高めることができる。また、差込凹所１４の開口面が長円状であるから、差込口１５ａの幅方向においてコンセントハウジング１０を連接したり、差込口１５ａの幅方向においてコンセント口（つまり、差込口１５ａ〜１５ｃの組）を並設したりする場合に、各コンセント口に接続されるプラグの干渉を避けながらも、コンセント口を差込口１５ａの幅方向において比較的狭い間隔で並設することが可能になる。しかも、差込凹所１４の内周面の一部は差込口１５ａの長手方向と平行であるから、差込凹所１４の長手方向の内周面が差込口１５ａに挿入される栓刃のガイドになり、プラグを挿入しやすくなる。
【００３１】
ボディ１１に収納される刃受ばね３１〜３３のうち差込口１５ａに対応する部位の区画に収納される刃受ばね３１、つまり一方の電圧極である刃受ばね３１は、一対の刃受片３１ａの後端（図１の下端）間を連続一体に連結する連結片３１ｂを備え、連結片３１ｂの一側縁から前方に立ち上がる接続片３１ｃを備える。接続片３１ｃの前端部はＬ字状に折曲されており、ボディ１１の内部の仕切壁１３を乗り越え、隣りの区画内の端子板４１に接続される。端子板４１は、接続片３１ｃが接続される基片４１ａの両側縁からそれぞれ延設され互いに対向する背当片４１ｂおよび保持片４１ｃを備える。背当片４１ｂは仕切壁１３に突設した位置決めリブ１３ａと仕切壁１３との間で位置保持される。刃受ばね３１と端子板４１とは接続片３１ｃを介して連続一体に形成される。
【００３２】
背当片４１ｂと保持片４１ｃとの間には板ばねを曲成した錠ばね４４が配置される。錠ばね４４は、板ばねの一端部をＪ字状に曲成して鎖錠片４４ａを形成し、他端部をＳ字状に曲成して接続片４４ｂを形成したものであって、鎖錠片４４ａおよび接続片４４ｂを保持片４１ｃに対向させるように配置される。ボディ１１の底壁には、鎖錠片４４ａおよび接続片４４ｂと保持片４１ｃとの間に対応する部位において電線挿入口１６ａが開口し（図５参照）、電線挿入口１６ａから挿入された電線の芯線は、錠ばね４４のばね力によって、鎖錠片４４ａおよび接続片４４ｂと保持片４１ｃとの間に挟持される。鎖錠片４４ａは電線挿入口１６ａから電線の芯線を挿入する向きにおいて芯線に近付くように傾斜しており、芯線が挿入されると鎖錠片４４ａの先端縁が芯線に食い込むことによって、電線を引き抜く向きの力に抗するようになっている。
【００３３】
鎖錠片４４ａと保持片４１ｃとの間に対応する部位には合成樹脂製の解除釦４５が配置される。解除釦４５の一部はボディ１１の底壁に設けた操作孔１７ａに露出する。解除釦４５は、電線が錠ばね４４に保持された状態において、操作孔１７ａにマイナスドライバの先端部のような形状の治具を挿入して解除釦４５を押圧することにより、鎖錠片４４ａの先端縁を電線の芯線から引き離し電線を引き抜くことができるようにするものである。この種の端子構造は速結端子として知られている。
【００３４】
ところで、他方の電圧極である刃受ばね３２は、一対の刃受片３２ａの後端間を連続一体に連結する連結片３２ｂを備える点では刃受ばね３１と同様の構成である。ただし、刃受ばね３１では連結片３１ｂの一側縁から前方に立ち上がる接続片３１ｃにより端子板４１に接続されていたのに対して、刃受ばね３２では連結片３２ｂの一側縁と端子板４２とを連結する接続片３２ｃの形状が刃受ばね３１とは異なっている。つまり、接続片３２ｃは、連結片３２ｂから前方に立ち上がった後に側方に延長され、さらに一方の刃受片３２ａに対向するように回り込んだ後に、前方に延長される形状に形成されている。言い換えると、刃受ばね３１では接続片３１ｃにおける端子板４１との接続部位が両刃受片３１ａに略直交しているのに対して、刃受ばね３２では接続片３２ｃにおける端子板４２との接続部位が両刃受片３２ａに略平行している。端子板４２の形状は端子板４１の形状とは対称形状であり、基片４２ａから延設された背当片４２ｂと保持片４２ｃとを備える。また、端子板４１と同様に、背当片４２ｂと保持片４２ｃとの間には錠ばね４４が配置され、また保持片４２ｃと錠ばね４４の鎖錠片４４ａとの間に対応する部位には解除釦４５が配置される。ボディ１１において端子板４２を収納する区画の底壁には、端子板４２に接続する電線の芯線が挿入される電線挿入口１６ｂと、解除釦４５に対応する操作孔１７ｂとが開口する。
【００３５】
接地極である刃受ばね３３は、電圧極の刃受ばね３１，３２と同様に、一対の刃受片３３ａの後端間を連続一体に連結する連結片（図示せず）を備え、連結片の側縁から立ち上がる接続片３３ｃを介して端子板４３を連続一体に接続するように構成されている。つまり、対象となる栓刃が接地極の栓刃であって刃受片３３ａの間隔が刃受片３１ａの間隔よりも大きいことを除けば刃受ばね３１と同様の形状を有している。刃受ばね３３を収納する区画と端子板４３を収納する区画との間の仕切壁１３には、接続片３３ｃが通る接続用切欠１３ｂが形成されている。
【００３６】
端子板４３は、基片４３ａから背当片４３ｂと保持片４３ｃとが各一対ずつ延設されることにより全体としてコ字状に形成されており、両背当片４３ｂの中間部間を連続一体に連結する仲介片４３ｄと、保持片４３ｃの基部間を基縁４３ａに連続一体に連結する橋絡片４３ｅとを備える。刃受ばね３３と端子板４３とは、接続片３３ｃの前端が仲介片４３ｄの後縁に一体に連続することにより接続される。
【００３７】
端子板４３においても、背当片４３ｂと保持片４３ｃとの間に錠ばね４４が配置される。ただし、端子板４３には背当片４３ｂと保持片４３ｃとが各一対設けられているから、２個の錠ばね４４が設けられる。解除釦４５は両錠ばね４４に跨るように配置される。したがって、ボディ１１において端子板４３を収納する区画の底壁には、電線の芯線を挿入するための２個の電線挿入口１６ｃが開口し、解除釦４５を操作するための１個の操作孔１７ｃが開口する。
【００３８】
ところで、電圧極に対応する電線挿入口１６ａ，１６ｂは、図５に示すように、ボディ１１の背面上部において左右に並んでおり、コンセントハウジング１０の寸法の制約によって両電線挿入口１６ａ，１６ｂの距離は比較的近くなるから（たとえば、１８ｍｍ程度）、電線挿入口１６ａ，１６ｂの間の沿面距離を確保するために、ボディ１２の後面には各電線挿入口１６ａ，１６ｂがそれぞれ開口する端子台部１２ｂの間に前方に凹没した分離溝１２ｃを形成してある（図６参照）。このように端子台部１２ｂの間に分離溝１２ｃを形成することにより、電線挿入口１６ａ，１６ｂを通る経路における端子板４１，４２の間の沿面距離が長くなり、結露等に対する安全性が高くなる。なお、接地極に対応する電線挿入口１６ｃは、ボディ１１の背面下部に設けられる。
【００３９】
ボディ１１とカバー１２とを結合するために用いた取付枠２０は、壁面のような施工面にコンセントハウジング１０を取り付けるために設けられているものであって、上述のように、コンセントハウジング１０の組立にも兼用されている。すなわち、取付枠２０は、上下の両取付片２２の左右両端間をそれぞれ縦桟２３により連続一体に連結し中央部に矩形の器具取付窓２４が開口する矩形枠状に金属板によって形成されている。縦桟２３は曲げ強度を大きくするように断面Ｌ字状に形成され、上述した組立脚片２１は各縦桟２３に２個ずつ設けられている。
【００４０】
一方、各取付片２２の長手方向の中央部には長孔状のねじ挿入孔２５がそれぞれ開口する。ねじ挿入孔２５の長手方向の両側にはそれぞれＬ字状の引掛孔２６が形成され、ねじ挿入孔２５の幅方向の一側にはプレート取付孔２７が形成される。ねじ挿入孔２５は、たとえば壁面のような施工面に埋め込まれたスイッチボックスに取付枠２０を取り付ける際には、スイッチボックスに螺合するボックスねじがねじ挿入孔２５に通される。また、施工面が壁パネルのようなパネル材であるときには、施工面に形成した取付孔の周部を取付枠２０とともに挟む挟み金具の一端部を引掛孔２６に引掛けるとともに、挟み金具に螺合する引締ねじがねじ挿入孔２５に通される。したがって、パネル材の裏面側に挟み金具を挿入し、パネル材の表面側に取付枠２０を当接させた状態で、引締ねじを回転させ挟み金具の先端部を取付枠２０に近付けるようにすれば、取付枠２０と挟み金具との間でパネル材を挟持することができ、結果的に取付枠２０がパネル材に固定される。プレート取付孔２７はねじ孔であって、取付枠２０の前面側を覆う化粧プレートを用いる際に、化粧プレートの一部を通してプレート取付孔２７に螺合するプレートねじを用いることで、取付枠２０の前面側を覆う化粧プレートを取付枠２０に結合することができる。
【００４１】
コンセントハウジング１０を構成するボディ１１とカバー１２とを取付枠２０に設けた組立脚片２１により結合した状態において、カバー１２の前端部は取付片２２の前方に突出する。ここで、コンセントハウジング１０の取付枠２０に対するがたつきを防止するために、器具取付窓２４の上下両端縁には前方に突出する位置決め突片２８が設けられる。カバー１２の上下両側面には各２個の係止凹所１２ｄが形成される。係止凹所１２ｄは、カバー１２の前面と略面一になるように配置されカバー１２の前面周囲を囲むように配置される化粧カバー１８を取着するために設けられている。すなわち、化粧カバー１８は、コンセントハウジング１０の前面を露出させる矩形状の窓孔１８ａを有した矩形枠状であって、窓孔１８ａの上下両周部から後方に向かって係止脚片１８ｂが突設されたものであって、係止脚片１８ｂの先端部に設けた係止フック１８ｃが係止凹所１２ｄに係合することによって、カバー１２に取着されるようになっている。この状態において化粧カバー１８の後面は取付枠２０の縦桟２３に載置される（図３参照）。ここに、化粧カバー１８は上述した化粧プレートの内側に配置され、化粧プレートとともに取付枠２０の前面側を覆う。
【００４２】
ところで、図８に示すように、コンセントボディ１０に設けた差込凹所１４において、施工時に下端部となる部位（つまり、差込凹所１４の長手方向において接地極である差込口１５ｃに近い端部）に、差込凹所１４の底面から開口面まで延長された排水溝１４ａを形成するのが望ましい。排水溝１４ａの底面は図８（ｂ）のように、差込凹所１４の底面から開口面に向かって下り傾斜する傾斜面になっている。排水溝１４ａの一端は差込凹所１４の底面に達していなくてもよいが、他端は差込凹所１４の開口面に達していることが必要である。このような排水溝１４を形成することによって、仮に差込凹所１４に水滴が浸入したとしても、差込凹所１４の下端である排水溝１４に導かれ、排水溝１４を通して差込凹所１４の外部に排出されるから、差込凹所１４の内部に水滴が残ることがなく安全性を高めることができる。
【００４３】
（実施形態２）
上述したコンセントは、大角形連用配線器具に用いる取付枠と取付寸法が同寸法である取付枠２０を採用し、コンセントハウジング１０の一部を施工面に埋め込んだ形で施工する例を示したが、本実施形態は、図９に示すように、施工面に露出させる形で施工されるコンセントハウジング１１０を採用する例を示す。
【００４４】
図９に示すコンセントハウジング１１０は、外周縁が正方形状であるベース１１１の前面に後面が開放された薄箱状のカバー１１２が覆着されたものであって、ベース１１１の前面に突設されたボス部１１１ａにカバー１１２を通して螺合する組立ねじ１１３を用いて、ベース１１１にカバー１１２が結合される。ベース１１１の前面には、３区画の収納凹所１１４ａ〜１１４ｃが形成され、各収納凹所１１４ａ〜１１４ｃの間は仕切壁１１５により分離されている。
【００４５】
各収納凹所１１４ａ〜１１４ｃには、それぞれ刃受ばね１２１〜１２３が収納される。各刃受ばね１２１〜１２３は、それぞれ対向して配置された一対の刃受部１２１ａ〜１２３ａを備える。電圧極の刃受ばね１２１，１２２は、両刃受部１２１ａ、１２２ａの後縁間を連結片１２１ｂ，１２２ｂで連続一体に連結しているが、接地極の刃受ばね１２３は、両刃受部１２２ａの後端側部間を連続一体に連結する。つまり、接地極の刃受ばね１２３は、栓刃が挿入される方向における両端部がともに開放されている。各連結片１２１ｂ〜１２３ｂには接続片１２１ｃ〜１２３ｃの一端が連続一体に接続され、接続片１２１ｃ〜１２３ｃの他端は端子板１３１〜１３３に接続される。
【００４６】
端子板１３１〜１３３はベース１１１の前面に沿って配置され、各端子板１３１〜１３３には、取付ねじ１３４がそれぞれ挿入される固定用孔１３１ａ〜１３３ａと、端子ねじ１３５ａ〜１３５ｃがそれぞれ螺合する端子ねじ孔１３１ｂ〜１３３ｂとが形成される。ベース１１１には取付ねじ１３４が螺合する端子固定孔１１６が形成される。つまり、端子板１３１〜１３３は取付ねじ１３４を用いてベース１１１に固定される。また、各端子板１３１〜１３３には、ベース１１１に設けた差込孔１１７に挿入される差込片１３１ｃ〜１３３ｃが突設される。このように差込片１３１ｃ〜１３３ｃを差込孔１１７に差し込むことによって、端子板１３１〜１３３がベース１１１に対して定位置に位置決めされる。実施形態１と同様に、電圧極である刃受ばね１２１，１２２は刃受部１２１ａ，１２２ａの幅方向が互いに直交する。
【００４７】
ところで、カバー１１２の前面中央部には差込凹所１４が形成される。差込凹所１４は実施形態１と同形状であって、差込凹所１４の底面に対応するカバー１１２の前壁には、３個の差込口１５ａ〜１５ｃが穿孔される。つまり、電圧極である矩形状に開口する２個の差込口１５ａ，１５ｂと、接地極である半楕円状の差込口１５ｃとが形成される。差込口１５ａ，１５ｂは長手方向が互いに直交し、実施形態１における差込口１５ａ，１５ｂと同じ位置関係になっている。
【００４８】
本実施形態のコンセントを施工するにあたっては、電線を付設した施工面にベース１１１の裏面を当接させた形で木ねじ等によってベース１１１を施工面に固定する。ベース１１１には電線を通す電線導入口１１８が開口しており、電線導入口１１８からベース１１１の前面側に引き出した電線を、端子ねじ１３５ａ〜１３５ｃによって端子板１３１〜１３３に接続する。その後、ベース１１１にカバー１１２を結合すれば、施工が完了しプラグを接続することが可能になる。
【００４９】
本実施形態の構成では、施工面に埋め込む必要がないから施工が容易になる。また、実施形態１において説明したように接地極の栓刃は電圧極の栓刃に比較してプラグハウジングからの突出寸法が大きくなるが、本実施形態では接地極である刃受ばね１２３について、接地極の栓刃の挿入方向、つまり差込口１５ｃの開口面に直交する方向における両端が開放されているから、刃受ばね１２３の材料の厚み寸法分だけ接地極の栓刃を電圧極の栓刃より深く挿入することが可能になる。また、刃受ばね１２３を収納する収納凹所１１４ｃの底面に接地極の栓刃の先端部が挿入される窪みを形成しておけば、接地極の栓刃をコンセントハウジング１１０の中により深く挿入することが可能になる。つまり、接地極である栓刃の挿入深さを確保しながらも、コンセントハウジング１１０の薄型化が可能になり、コンセントハウジング１１０が施工面から露出する形で施工されるにもかかわらず、コンセントハウジング１１０の薄型化によって施工面からの突出高さの増加を抑制することが可能になる。他の構成および機能は実施形態１と同様である。
【００５０】
なお、上述した実施形態１、実施形態２において、コンセントハウジング１０，１１０に差込凹所１４を形成しているが、コンセントハウジング１０，１１０に差込突台を形成し、プラグにおいて栓刃が突設されるプラグハウジングに、差込突台と嵌合可能な差込凹所を形成してもよい。
【図面の簡単な説明】
【００５１】
【図１】実施形態１のコンセントを示す分解斜視図である。
【図２】同上の正面図である。
【図３】同上の下面図である。
【図４】同上の一部破断した側面図である。
【図５】同上の背面図である。
【図６】同上の要部平面図である。
【図７】同上のカバーを外した正面図である。
【図８】実施形態１のコンセントの他例を示し、（ａ）は正面図、（ｂ）は一部破断した側面図である。
【図９】実施形態２を示す分解斜視図である。
【図１０】従来例を示す正面図である。
【符号の説明】
【００５２】
１０  コンセントハウジング
１２ｃ  分離溝
１４  差込凹所
１４ａ  排水溝
１５ａ  （第１の）差込口
１５ｂ  （第２の）差込口
１５ｃ  差込口（接地極）
１６ａ〜１６ｃ  電線挿入口
３１〜３３  刃受ばね
４４  錠ばね
１１０  コンセントハウジング
１２１〜１２３  刃受ばね
【手続補正２】
【補正対象書類名】図面
【補正対象項目名】図１０
【補正方法】変更
【補正の内容】
【図１０】
2005100908.tif 000025
【手続補正３】
【補正対象書類名】図面
【補正対象項目名】図１１
【補正方法】削除
【補正の内容】
【手続補正４】
【補正対象書類名】図面
【補正対象項目名】図１２
【補正方法】削除
【補正の内容】
【手続補正５】
【補正対象書類名】図面
【補正対象項目名】図１３
【補正方法】削除
【補正の内容】
【手続補正６】
【補正対象書類名】図面
【補正対象項目名】図１４
【補正方法】削除
【補正の内容】
【手続補正７】
【補正対象書類名】図面
【補正対象項目名】図１５
【補正方法】削除
【補正の内容】
【手続補正８】
【補正対象書類名】図面
【補正対象項目名】図１６
【補正方法】削除
【補正の内容】
【手続補正９】
【補正対象書類名】図面
【補正対象項目名】図１７
【補正方法】削除
【補正の内容】
【手続補正１０】
【補正対象書類名】図面
【補正対象項目名】図１８
【補正方法】削除
【補正の内容】
【手続補正１１】
【補正対象書類名】図面
【補正対象項目名】図１９
【補正方法】削除
【補正の内容】
【手続補正１２】
【補正対象書類名】図面
【補正対象項目名】図２０
【補正方法】削除
【補正の内容】
【手続補正１３】
【補正対象書類名】図面
【補正対象項目名】図２１
【補正方法】削除
【補正の内容】
【手続補正１４】
【補正対象書類名】図面
【補正対象項目名】図２２
【補正方法】削除
【補正の内容】